(57)【要約】【課題】各種電子機器の入力操作部などに使用される二段動作タイプのプッシュオンスイッチに関し、第一スイッチをオン状態に移行させる操作力が従来のものよりもさらに軽く、かつその操作された状態の維持も容易なものを提供する。【解決手段】リング状部１０の中央に円板部８が同心で繋がれ、さらにそのリング状部１０から外方に突出形成された一対の突出部１１を備えた可動接点７を、スイッチケース２１の凹部２１Ａ内に収容し、円板部８上から非常に軽い力が加わった際、上記一対の突出部１１が凹部２１Ａの内底面に配された外側接点部４１、４２に接触して第一スイッチの状態が切り換わるものとした。【選択図】図１
2006338890.tif 000002
【特許請求の範囲】
【請求項１】
上方開口の凹部の内底面に、中央接点及びこれから等距離の位置に配された二つの周辺接点、また上記それぞれの周辺接点の外側位置に互いに独立して配された二つの外側接点部を備えた絶縁樹脂製のスイッチケースと、上方に球面状に湾曲した円板部及びその外方に一定の間隔を空けて可撓性を有する細巾の連結部で同心円状に繋がれた円形リング状部とその円形リング状部から外側に突出形成された二つの突出部を有し、上記円形リング状部が上記スイッチケースの凹部内に設けられた段状の可動接点受け部に載せられて上記円板部の外周が上記各周辺接点の上方に所定の間隔を空けて位置すると共に、上記各突出部が上記各外側接点部に接離可能なように配された弾性金属板製の可動接点とを有するプッシュオンスイッチ。
【請求項２】
可動接点の突出部の一方が、対応する外側接点部に常接され、押圧操作に伴い突出部の他方が、対応する外側接点部に接離する請求項１のプッシュオンスイッチ。
【請求項３】
周辺接点と外側接点部の一対ずつがそれぞれ電気的に導通状態で配された請求項１のプッシュオンスイッチ。
【発明の詳細な説明】
【技術分野】
【０００１】
本発明は、主としてカメラ、ビデオカメラ等の各種電子機器の入力操作部等に使用されるプッシュオンスイッチに関するものである。
【背景技術】
【０００２】
従来のこの種のプッシュオンスイッチの中で、軽く押圧操作するとまず第一スイッチがオンし、さらに強く押圧操作すると続いて第二スイッチがオンする二段動作のものがカメラのシャッター部分やビデオカメラの録画開始ボタンなどの入力操作部に多く用いられており、上記形態のものを以下に説明する。
【０００３】
図１０は従来のプッシュオンスイッチの外観斜視図、図１１は同分解斜視図、図１２（ａ）は図１０のＰ−Ｐ線における断面図、（ｂ）はＱ−Ｑ線における断面図である。
【０００４】
同図において、１は上方開口の凹部１Ａを備えた略方形の樹脂からなるスイッチケースで、図１３のスイッチケースの上面図に示すように、略円形の凹部１Ａの内底面には、二つの電気的に独立した周辺接点２およびこれよりも少し低い中央接点３が露出状態でインサート成形により固定されていると共に、各固定接点とそれぞれ導通した接続用端子２Ａ、２Ｂおよび３Ａはスイッチケース１の外周側部に突出して導出されている。なお、接続用端子６Ａはダミー端子であり、これもスイッチケース１の外周側部に突出して設けられている。
【０００５】
また、凹部１Ａを構成する側壁の対向した位置には、一対の段状の可動接点受け部４およびそれと直交する位置に一対の切り欠き溝部５が設けられている。
【０００６】
そして、７は弾性薄板金属板をプレス加工して形成された可動接点で、その形状は図１４（ａ）および（ｂ）の平面図および側面図に示すように、上方に球面状に湾曲した中央の円板部８と、この外方に一定の間隔を空けて同心円状に配された円形のリング状部１０と、中心に対して対称位置に一対で配され、円板部８側が高くなるように上記円板部８と上記リング状部１０とを繋ぐ傾斜した連結部９と、連結部９と同一直径上でリング状部１０から外方に直線状で突出させて設けられた一対の突出部１１とからなっている。上記リング状部１０は、連結部９と直角な対向した二ヶ所の位置が頂点部１０Ｂとなるように上方への略Ｖ字状に湾曲形成されている。
【０００７】
そして、この可動接点７は、図１５のスイッチケース１内に可動接点７を装着した状態の上面図に示すように、湾曲突部側が上方となるようにして突出部１１が切り欠き溝部５に挿入されると共に、図１２（ｂ）に示すように、リング状部１０のＶ字曲げ部分の側部１０Ａが可動接点受け部４上に載置されるようにスイッチケース１の凹部１Ａ内に装着されている。
【０００８】
そして、スイッチケース１の上面は、可撓性を備えた絶縁フィルム製のシート１２で覆われ、さらにその上から金属カバー１３がスイッチケース１に対して取り付けられている。なお、シート１２は、金属カバー１３の下面とスイッチケース１上端面およびその上端面に凹部１Ａ周囲を囲むようにして配された小突起１Ｂで挟持されつつ粘着保持されている。
【０００９】
そして、金属カバー１３は、図１０などに示すように、枠状平坦部１３Ａから中央側に延びる一対の弾性アーム１３Ｂを備え、その弾性アーム１３Ｂを介して繋げられた中央の押圧部１３Ｃを有している。なお、１３Ｄは、金属カバー１３に配されたアース端子である。
【００１０】
このように構成された従来のプッシュオンスイッチは、通常状態では、図１２に示したように、可動接点７が周辺接点２および中央接点３に対して離れているため、スイッチオフ状態となっている。
【００１１】
次に、上記プッシュオンスイッチの押圧操作時の動作について、図１６（ａ）、（ｂ）および図１７（ａ）、（ｂ）の断面図を用いて説明する。なお、図１６（ａ）および図１７（ａ）は図１０のＰ−Ｐ線における断面図、図１６（ｂ）および図１７（ｂ）は同Ｑ−Ｑ線における断面図である。また、それらの図面は、判り易くするため金属カバー１３を要部のみの図示としている。
【００１２】
まず、金属カバー１３の押圧部１３Ｃに上方から軽い押し下げ力を加えると、押圧部１３Ｃが下がりシート１２を介して可動接点７の円板部８を押圧していく。その押圧力が所定の力を超えた時に、可動接点７は、図１６（ａ）および（ｂ）に示すように、まず円板部８は球面状のままでリング状部１０の可動接点受け部４に載った部分が支点となり、リング状部１０が節度を伴って凹状に反転して、二つの連結部９の円板部側根元部分が二つの電気的に独立した周辺接点２にそれぞれ接触し、可動接点７を介して二つの周辺接点２の間すなわち接続用端子２Ａおよび２Ｂの間が電気的に導通した第一スイッチのオン状態となる。
【００１３】
そして、この状態からさらに押圧部１３Ｃを押し下げ可動接点７の円板部８を押し下げると、図１７（ａ）および（ｂ）に示すように、今度は、外周部分が周辺接点２上に載った円板部８が節度を伴いながら下膨らみ状態に反転動作し、円板部８の中央部下面が中央接点３に接触して、第一スイッチとして短絡した二つの周辺接点２に加えて中央接点３との間すなわち接続用端子２Ａ、２Ｂに加えて３Ａの間が電気的に導通した第二スイッチのオン状態になる。
【００１４】
この後、押圧部１３Ｃへの押し下げ力を除くと、可動接点７の円板部８への押圧力が解除され、まず円板部８がその弾性復元力により上方突状の球面状態に復元することによって、その中央部下面が中央接点３が離れて第二スイッチがオフ状態に戻り、続いて連結部９が円板部８側が高くなる傾斜状態に戻ることにより円板部側根元部分が周辺接点２から離れて第一スイッチもオフ状態に戻る。また、その可動接点７の復帰動作と共にシート１２や押圧部１３Ｃに繋がる弾性アーム１３Ｂも元の位置に復帰する。上記操作時における操作ストロークと各スイッチのオンタイミングなどの遷移状態をまとめて図１８に示す。
【００１５】
そして、この従来のプッシュオンスイッチの用途としては、例えばデジタルスチルカメラなどのシャッター部分用のスイッチとして搭載され、軽い押圧操作状態で得られる第一スイッチからのオン信号で被写体へのピント調整が行われ、さらに強く押圧操作して得られる第二スイッチのオン信号でシャッターをきるように使用されることが多いものであった。
【００１６】
なお、この出願の発明に関連する先行技術文献情報としては、例えば、特許文献１が知られている。
【特許文献１】特開平１１−２３２９６２号公報
【発明の開示】
【発明が解決しようとする課題】
【００１７】
上記従来のプッシュオンスイッチは、上述したようにカメラのシャッター部分などに特に好適なものであったが、デジタルスチルカメラやビデオカメラなどの普及に伴い、カメラ自身の機能向上が図られると共に、より使い易いものとする工夫が様々なされるようになってきた。
【００１８】
例えば、現在では手振れ防止機能を付加したものが好まれるようになってきており、その手振れ防止機能を備えたカメラに対し上記従来のプッシュオンスイッチをシャッター部分や録画開始ボタン部分などに使用する場合には、第一スイッチのオン信号で手振れ防止機能をピント調整とともに作動させるよう制御すればよいが、その作動状態の維持には、スイッチの一度目の節度感触が得られた後、引き続いてその押圧操作状態で維持しておかなければならない。このとき、第一スイッチのオン状態を維持させる操作力としては軽いものではあったが、さらに使い易いものとすべく、第一スイッチのオン状態の維持がさらに容易なプッシュオンスイッチへの開発要望が高まってきた。
【００１９】
本発明は、このような従来の課題を解決するものであり、第一スイッチをオン状態に移行させる操作力が従来のものよりもさらに軽く、かつその状態の維持が容易な二段動作のプッシュオンスイッチを提供することを目的とする。
【課題を解決するための手段】
【００２０】
上記目的を達成するために本発明は、以下の構成を有するものである。
【００２１】
本発明の請求項１に記載の発明は、上方開口の凹部の内底面に、中央接点およびこれから等距離の位置に配された二つの周辺接点、また上記それぞれの周辺接点の外側位置に互いに独立して配された二つの外側接点部を備えた絶縁樹脂製のスイッチケースと、上方に球面状に湾曲した円板部およびその外方に一定の間隔を空けて可撓性を有する細巾の連結部で同心円状に繋がれた円形リング状部とその円形リング状部から外側に突出形成された二つの突出部を有し、上記円形リング状部が上記スイッチケースの凹部内に設けられた段状の可動接点受け部に載せられて上記円板部の外周が上記各周辺接点の上方に所定の間隔を空けて位置すると共に、上記各突出部が上記各外側接点部に接離可能なように配された弾性金属板製の可動接点とを有するプッシュオンスイッチとしたものである。
【００２２】
当該構成であれば、従来のものよりもさらに軽い力で可動接点の突出部が外側接点部に接触して第一スイッチがオン状態に移行するものにでき、その後に軽い操作力で押圧操作すると一段目の節度感触が得られ、続けてさらに強く押圧操作すると第二スイッチが節度感触とともにオン状態に切り換わるものにできるという作用を有する。
【００２３】
請求項２に記載の発明は、請求項１記載の発明において、可動接点の突出部の一方が、対応する外側接点部に常接され、押圧操作に伴い突出部の他方が、対応する外側接点部に接離するものであり、第一スイッチのオンオフ状態が一箇所の接離で切り換わるものにでき、そのスイッチング特性的にも安定したものにできるという作用を有する。
【００２４】
請求項３に記載の発明は、請求項１記載の発明において、周辺接点と外側接点部の一対ずつがそれぞれ電気的に導通状態で配されたものであり、第二スイッチのオン状態への移行時における円板部の反転動作時に、第一スイッチのオン状態が確実に維持されるものにできるという作用を有する。
【発明の効果】
【００２５】
以上のように本発明によれば、第一スイッチのオン状態への移行が従来のものよりもさらに軽い力で移行され、その状態の維持も容易な二段動作タイプのプッシュオンスイッチを得ることができるという有利な効果が得られる。
【発明を実施するための最良の形態】
【００２６】
以下、本発明の実施の形態につき、以下に図面を用いて説明する。なお、従来と同一構成の部分には、同一符号を付して詳細な説明は省略する。
【００２７】
（実施の形態）
図１および図２は本発明の一実施の形態によるプッシュオンスイッチの断面図、図３は同外観斜視図、図４は同分解斜視図、図５は同スイッチケースの上面図である。なお、図１は、図３のＲ−Ｒ線における断面図、また図２は、図３のＳ−Ｓ線における断面図を示している。
【００２８】
同図において、２１は、略方形の樹脂からなるスイッチケースであり、上方開口の凹部２１Ａを備えている。その凹部２１Ａは、スイッチケース２１の外形における一方の対向する角部位置に切り欠き溝部２２、２３を有した従来同様の略円形に構成されている。また、凹部２１Ａを構成する側壁における上記切り欠き溝部２２、２３とは直交する位置には、一対の段状の可動接点受け部２４が設けられている。
【００２９】
また、凹部２１Ａの内底面の中央位置には、従来同様に中央接点３がインサート成形で固定されている。また、その周辺位置には、中央接点３から等距離の位置に二つの電気的に独立した周辺接点３１および３２がインサート成形で露出状態に固定されている。なお、周辺接点３１、３２と中央接点３との高さ関係は従来のものと同じである。
【００３０】
そして、一方の周辺接点３１は、対応する一方の切り欠き溝部２２の方向に向かって引き回されて切り欠き溝部２２の底部をも構成している。その切り欠き溝部２２の底部位置にあたる部分は凹部２１Ａの内底面より上方側に突出形成されており、当該切り欠き溝部２２の底部部分が、一方側の外側接点部４１としてなる。
【００３１】
また、他方の周辺接点３２は、対応する他方の切り欠き溝部２３の方向に向かって引き回されて切り欠き溝部２３の底部をも構成している。その切り欠き溝部２３の底部位置にあたる部分は、凹部２１Ａの内底面と同一高さの露出状態で配されており、当該切り欠き溝部２３の底部部分が他方側の外側接点部４２として機能する部位となる。
【００３２】
なお、中央接点３に導通した接続用端子３Ａはスイッチケース２１の外周側部に突出して導出され、また周辺接点３１と外側接点部４１に導通した接続用端子４１Ａおよび周辺接点３２と外側接点部４２に導通した接続用端子４２Ａもそれぞれ独立してスイッチケース２１の外周側部に突出して導出されている。なお接続用端子６Ａはダミー端子である。
【００３３】
そして、上記凹部２１Ａ内には、従来と同じ可動接点７もしくは上記可動接点７において直線状に突出形成された各突出部１１が若干下方側に所定角度で曲げ形成されたものが収容されている。なお、図面には後述したものの装着事例を図示しているが、その符号としては従来の可動接点７のままで表記し、その詳細構成の説明は省略する。
【００３４】
そして、その可動接点７は、従来同様に中央の円板部８の湾曲突部側およびその周囲に同心で繋がれた円形のリング状部１０のＶ字曲げ部分における頂点部１０Ｂ側を上方に向けて、各突出部１１を切り欠き溝部２２、２３に挿入させ、図２に示すように、リング状部１０のＶ字曲げ部分の側部１０Ａが可動接点受け部２４上に載置されるようにしてスイッチケース２１の凹部２１Ａ内に装着されている。
【００３５】
このとき、切り欠き溝部２２に応じた一方の突出部１１の下端は、切り欠き溝部２２の底部を構成している外側接点部４１上に常接している。また、切り欠き溝部２３に応じた他方の突出部１１の下端は、切り欠き溝部２３の底部に露出状態で配された他方側の外側接点部４２に所定間隔をあけて対峙している。その間隔としては、周辺接点３１、３２および可動接点７の連結部９間の対向した上下間隔よりも狭い間隔で設定されている。
【００３６】
そして、スイッチケース２１の上面は、弾性を有するゴム製または絶縁フィルム製のシート５０で覆われ、さらにその上から金属カバー１３がスイッチケース２１に対して取り付けられている。このシート５０は、従来同様に金属カバー１３の枠状平坦部１３Ａ下面とスイッチケース２１上端面およびその上端面に凹部２１Ａ周囲を囲むようにして配された小突起２１Ｂ（図４および図５参照）で挟持されて保持されている。なお、金属カバー１３は、従来と同じものであるため、形状の詳細説明は省略する。
【００３７】
本発明によるプッシュオンスイッチは以上のように構成され、次にその動作について説明する。
【００３８】
まず、通常状態では、図１および図２に示したように、可動接点７は外側接点部４１のみに接触しており、中央接点３、周辺接点３１および３２、外側接点部４２から離れているため、スイッチオフ状態になっている。
【００３９】
そして、上記状態において、金属カバー１３の押圧部１３Ｃ上に指などを載せるなどしてソフトタッチすると、弾性アーム１３Ｂに繋がった中央の押圧部１３Ｃが若干下がりシート５０を介して可動接点７の円板部８が押される。このとき、可動接点７は、外側接点部４１に常接した上記一方の突出部１１が若干撓みつつ支点となってそのままの形状で全体的に若干下方側に移動し、図６に示すように、上記他方の突出部１１が切り欠き溝部２３の底部に露出状態で配された外側接点部４２に接触する。これによって、可動接点７を介して外側接点部４１および４２の間すなわち接続用端子４１Ａおよび４２Ａの間が電気的に導通した第一スイッチのオン状態となる。
【００４０】
なお、図６は、第一スイッチの動作状態を説明する図３のＲ−Ｒ線における断面図であり、同動作状態における図３のＳ−Ｓ線における断面図は図２と同じ状態に示されるため、その図は省略している。なお、上記操作時における操作ストロークと各スイッチのオンタイミングなどの遷移状態をまとめて図７に示す。
【００４１】
なお、図７からも判るように、第一スイッチのオン状態への移行は非常に弱い操作力で、しかも操作ストロークも非常に短く設定されたものにできる。例えば、外側接点部４２と上記他方の突出部１１との上下間隔を０．１ｍｍ〜０．２ｍｍで空けて対峙させたものであれば、可動接点７が上記の設定距離分だけ下がると上記第一スイッチのオン状態に移行するものにできる。このため、押圧部１３Ｃとしては、非操作時に第一スイッチが押圧部１３Ｃの自重などで撓んで不用意にオン状態に移行しないよう枠状平坦部１３Ａから延設された弾性アーム１３Ｂの根元に折曲部などを配し押圧部１３Ｃが上方側に持ち上げられている構成などとしておくことが好ましい。
【００４２】
なお、一方の突出部１１を外側接点部４１に常接状態で配した上記構成のものであれば、第一スイッチのオンオフ状態が、他方の突出部１１側の外側接点部４２への一箇所の接離で切り換わるものにでき、そのスイッチング特性的にも安定したものにできる。
【００４３】
そして、上記状態から軽い力で金属カバー１３の押圧部１３Ｃに押し下げ力を加えると、可動接点７の円板部８に押圧力が加わり、その押圧力が所定の力を超えた時に、可動接点７は、図８（ａ）および（ｂ）に示すように、まず円板部８は球面状のままでリング状部１０の可動接点受け部２４に載った部分が支点となり、リング状部１０が節度を伴って凹状に反転して、二つの連結部９の円板部側根元部分が周辺接点３１および３２にそれぞれ接触する。このとき図７にも示しているように、外側接点部４１、４２と各突出部１１との接触状態は維持されており、上記第一スイッチのオン状態は維持されたままで上記一回目の節度感触が得られる。なお、図８（ａ）は、第一スイッチの動作状態を説明する図３のＲ−Ｒ線における断面図、図８（ｂ）は、同Ｓ−Ｓ線における断面図であり、従来同様に以下の動作図を含め金属カバー１３は要部のみの図示としている。
【００４４】
そして、その状態からさらに押圧部１３Ｃを押し下げ可動接点７の円板部８を押し下げると、図９（ａ）および（ｂ）に示すように、今度は、外周部分が周辺接点３１、３２上に載った円板部８が節度を伴いながら下膨らみ状態に反転動作して、円板部８の中央部下面が中央接点３に接触し可動接点７を介して第一スイッチとして短絡した接続用端子４１Ａ、４２Ａに加え中央接点３の接続用端子３Ａも電気的に導通した第二スイッチのオン状態になる。なお、図９（ａ）は、第二スイッチの動作状態を説明する図３のＲ−Ｒ線における断面図、図９（ｂ）は、同Ｓ−Ｓ線における断面図である。
【００４５】
なお、この第二スイッチの動作時に、突出部１１は瞬間的に上方に浮く可能性もあるが、当該構成のように外側接点部４１、４２を周辺接点３１、３２に導通状態で配し、かつ周辺接点３１、３２で可動接点７の円板部８の外周部分を受けて円板部８の動作がなされるようにして構成しておけば、第一スイッチのオン状態が確実に維持されるものにでき好ましい。
【００４６】
その後、押圧部１３Ｃへの押し下げ力を除くと、可動接点７の円板部８への押圧力が解除され、可動接点７は、まず円板部８がその弾性復元力により上方突状の球面状態に復元することによって、その中央部下面が中央接点３から離れて第二スイッチがオフ状態に戻る。また、それとほぼ同時に、連結部９が円板部８側が高くなる傾斜状態に戻ると共に、可動接点７の上記一方の突出部１１が元の状態に戻り、上記他方の突出部１１が外側接点部４２から離れた第一スイッチのオフ状態に戻る。また、上記可動接点７の復帰動作と共にシート５０も元の位置に復帰し、さらに枠状平坦部１３Ａから中央側に延びた一対の弾性アーム１３Ｂも元の位置に復帰することにより押圧部１３Ｃも元の位置に戻る。
【００４７】
以上のように本発明によるプッシュオンスイッチは、二段動作のもので、その第一スイッチが、操作部分に指を載せる程度の非常に軽い力でしかも短い操作ストロークでオン状態に移行するものとして構成されたものにできる。その第一スイッチのオン状態の維持も、操作する指に力を入れることなく指を操作部分に載せ続けるだけでよく、上記状態の維持は従来のものよりも容易なものとなる。また、上記のようにソフトタッチして第一スイッチをオン状態としている間に、軽い操作力で操作すると上記第一スイッチのオン状態が維持されつつ一回目の節度感触が得られ、その後にさらに操作力を加えると第二スイッチが節度感触と共にオン状態に切り換わる二段動作のものとして実現することができる。
【００４８】
次に、本発明によるプッシュオンスイッチの用途につき説明する。その用途としては、従来同様に各種カメラのシャッター部分やビデオカメラの録画開始ボタン部分などに用いることができる。
【００４９】
このとき、手振れ防止機能付きのものに当該スイッチを搭載する際には、上記第一スイッチのオン状態への移行に連動させてピント調整や手振れ防止機能を作動させると使い易いものにできる。
【００５０】
つまり、使用者が、被写体にレンズ方向を合わせてシャッター部分や録画開始ボタン部分に指を載せると、当該スイッチであれば軽く押し込み操作するまでもなく第一スイッチがオン状態となり、それに応じて即座にピント調整や手振れ防止機能が働くものにできるからである。また、上記第一スイッチのオン状態は上記のように操作部分に指を載せているだけで容易に維持されるため、従来のものより操作性に優れたものとなる。さらに、その後の軽い力の押圧操作で得られる一回目の節度感触によって使用者は上記各機能が働いていることを認識することもでき、その状態から従来同様にさらに強く押圧操作して第二スイッチをオン状態にしてシャッター動作や録画開始などの所定機能を作動させることができるものを容易に実現することができる。
【００５１】
なお、本発明によるプッシュオンスイッチはカメラ用途のみに限定されることはなく、例えばＡＶ・ＯＡ機器や各種リモコンなどに搭載して用いてもよい。
【００５２】
また、プッシュオンスイッチの構成についても上記に説明した構成以外のものとしてもよく、例えば、上記二つの突出部１１が、いずれも対応する外側接点部上に所定間隔をあけて対峙したものなどとしてもよい。
【００５３】
さらには、押圧部１３Ｃをなくした構成、つまり金属カバー１３をなくしてシート５０をスイッチケース２１上端面に粘着のみさせて保持された構成としたり、一回目の節度感触が得られない可動接点を用いて構成されていてもよい。
【００５４】
また、上記には周辺接点と外側接点部の一対ずつがそれぞれ電気的に導通状態で配されたものを説明したが、周辺接点と外側接点部とを互いに独立させて配し、かつ個々に接続用端子を設けたものとして三段動作のプッシュオンスイッチとしてもよい。
【産業上の利用可能性】
【００５５】
本発明によるプッシュオンスイッチは、第一スイッチのオン状態への移行が従来のものよりもさらに軽い力で移行され、かつその状態の維持も容易なものを実現できるという効果を有し、各種電子機器の入力操作部を構成する際などに有用である。
【図面の簡単な説明】
【００５６】
【図１】本発明の一実施の形態によるプッシュオンスイッチの断面図
【図２】同断面図
【図３】同外観斜視図
【図４】同分解斜視図
【図５】同スイッチケースの上面図
【図６】同第一スイッチの動作状態を説明する図３のＲ−Ｒ線における断面図
【図７】同プッシュオンスイッチの操作時における遷移状態を示す図
【図８】（ａ）同第一スイッチの動作状態を説明する図３のＲ−Ｒ線における断面図、（ｂ）同Ｓ−Ｓ線における断面図
【図９】（ａ）同第二スイッチの動作状態を説明する図３のＲ−Ｒ線における断面図、（ｂ）同Ｓ−Ｓ線における断面図
【図１０】従来のプッシュオンスイッチの外観斜視図
【図１１】同分解斜視図
【図１２】（ａ）同図１０のＰ−Ｐ線における断面図、（ｂ）同Ｑ−Ｑ線における断面図
【図１３】同スイッチケースの上面図
【図１４】（ａ）同可動接点の平面図、（ｂ）同側面図
【図１５】同スイッチケース内に可動接点を装着した状態の平面図
【図１６】（ａ）同第一スイッチの動作状態を説明する図１０のＰ−Ｐ線における断面図、（ｂ）同Ｑ−Ｑ線における断面図
【図１７】（ａ）同第二スイッチの動作状態を説明する図１０のＰ−Ｐ線における断面図、（ｂ）同Ｑ−Ｑ線における断面図
【図１８】同プッシュオンスイッチの操作時における遷移状態を示す図
【符号の説明】
【００５７】
３  中央接点
３Ａ、６Ａ、４１Ａ、４２Ａ  接続用端子
７  可動接点
８  円板部
９  連結部
１０  リング状部
１０Ａ  側部
１０Ｂ  頂点部
１１  突出部
１３  金属カバー
１３Ａ  枠状平坦部
１３Ｂ  弾性アーム
１３Ｃ  押圧部
２１  スイッチケース
２１Ａ  凹部
２１Ｂ  小突起
２２、２３  切り欠き溝部
２４  可動接点受け部
３１、３２  周辺接点
４１、４２  外側接点部
５０  シート
【図１】
2006338890.tif 000003
【図２】
2006338890.tif 000004
【図３】
2006338890.tif 000005
【図４】
2006338890.tif 000006
【図５】
2006338890.tif 000007
【図６】
2006338890.tif 000008
【図７】
2006338890.tif 000009
【図８】
2006338890.tif 000010
【図９】
2006338890.tif 000011
【図１０】
2006338890.tif 000012
【図１１】
2006338890.tif 000013
【図１２】
2006338890.tif 000014
【図１３】
2006338890.tif 000015
【図１４】
2006338890.tif 000016
【図１５】
2006338890.tif 000017
【図１６】
2006338890.tif 000018
【図１７】
2006338890.tif 000019
【図１８】
2006338890.tif 000020